(57)【特許請求の範囲】
【請求項１】
ボルトまたはナットを保持する保持部と、
前記保持部に対して回転可能に接続され該保持部を吊下しうる吊着部とを備え、
前記保持部は、一端が開口した筒体と、該筒体の内周面の開口端近傍に内側に向かって立設したフランジを有し、ボルトの頭またはナットを該筒体に内包して保持することを特徴とする落下防止具。
【請求項２】
前記保持部は弾性を有し、伸張してボルトの頭またはナットを内包し、収縮してこれらを保持することを特徴とする請求項１記載の落下防止具。
【請求項３】
前記保持部は、前記筒体の開口端から該筒体の軸心方向に延びる切込を有することを特徴とする請求項２記載の落下防止具。
【請求項４】
前記保持部は、前記筒体の開口端側に配置された大径部と、奥側に配置された小径部とを有することを特徴とする請求項１記載の落下防止具。
【発明の詳細な説明】
【技術分野】
【０００１】
本発明は、主として高所作業においてボルトまたはナットの落下を防止するための落下防止具に関する。
【背景技術】
【０００２】
鉄塔及び構造物の組立作業や補修作業、電柱の装柱の着脱作業などのように高所で作業する場合には、ボルトやナット、部材などの資材を落下させてしまうと、部材等の損傷や遺失を招き、また下方にある建築物や構造物、車輌に損傷を与えるおそれがある。特に鉄塔や電柱において作業をする場合、厚い絶縁手袋を着用して作業する場合が多い。するとボルトやナットのような小さなものは把持しにくく、取り落としてしまう可能性もある。
【０００３】
施工用地に余裕があれば、資材の落下が想定される範囲に作業区画を設定し、下方に何もない状態とすることにより、資材が落下しても支障がない状態にできる場合もある。しかし必ずしも十分な作業区画を確保できるとは限らず、また物置などの構造物は容易には動かすことができない。そのため、そもそも落下させないための落下防止対策が必要となる。
【０００４】
現状において多く実施されている落下防止対策として、作業位置の直下に収納用の工具袋を設置（吊下）し、万が一資材を落下させた場合には工具袋内に落下するようにしている。また鉄塔などの躯体に槍出しの支柱を設け、この支柱に網を張った落下防止網を使用することも行われている。
【０００５】
また特許文献１（特開２００５−２８７１６８）には、ボルトのネジ山を挟み込んでボルトを保持する挟持体を備え、ナットを交換する際にボルトに装着してボルトの落下を防止する落下防止金具が開示されている。特許文献１によれば、ボルトの抜け落ちに起因する電線の落下を防止し、腐蝕したナットの交換を容易に行うことができるとしている。
【特許文献１】特開２００５−２８７１６８号公報
【発明の開示】
【発明が解決しようとする課題】
【０００６】
しかし上記従来の落下防止対策において、工具袋を用いる場合には、作業位置は頻繁に変わるため、そのたびに工具袋を設置し直す作業がわずらわしいという問題がある。また工具袋を設置しようとした場合に、高所では設置できる場所が極めて限られるため、作業位置の直下に設置できない場合もある。さらには、風にあおられて工具袋が安定しない場合もあり、かならずしも落下資材を捕集できるとは限らない。また落下防止対策として槍出しの落下防止網を用いる場合、落下した資材が網で跳ねて外部に飛び出してしまう場合があり、捕集の確実性は必ずしも高くない。また、作業箇所の四方を網で囲う方法もあるが、コストと手間がかかるという問題がある。
【０００７】
特許文献１に記載の構成はボルトの抜け落ちには有効である。しかし、ボルトやナットを着脱するときにこれを保持することはできず、これらを取り落とした場合に落下を防止することはできない。
【０００８】
そこで本発明は、ボルトやナットを保持し、かつ保持した状態でこれらを螺合させることを可能とすることにより、落下を確実に防止することのできる落下防止具を提供することを目的としている。
【課題を解決するための手段】
【０００９】
上記課題を解決するために、本発明にかかる落下防止具の代表的な構成は、ボルトまたはナットを保持する保持部と、保持部に対して回転可能に接続され保持部を吊下しうる吊着部とを備え、保持部は、一端が開口した筒体と、筒体の内周面の開口端近傍に内側に向かって立設したフランジを有し、ボルトの頭またはナットを筒体に内包して保持することを特徴とする。特に筒体は、ボルトまたはナットをそのネジ部が筒体の開口端に露出した状態で保持することが好ましい。
【００１０】
上記構成によれば、保持部によってボルトまたはナットを保持し、吊着部を作業員の体や周囲の構造物に連結することにより、万が一作業員が保持部を取り落としたとしても、ボルトまたはナットは吊下されるため、その落下を防ぐことができる。そして保持部がボルトまたはナットをネジ部が露出した状態で保持していることにより、保持したままの状態でこれらを螺合させることができる。従って、本発明にかかる落下防止具を２つ用いて、一方の落下防止具にはボルトを保持させ、他方の落下防止具にはナットを保持させた状態である程度まで螺合させることにより、常にボルトとナットとは何らかの形で保持されており、落下する場合がない。これらのことから、落下を確実に防止することができる。
また特に、筒体の内周面の開口端近傍に内側に向かって立設したフランジを有していることにより、必ずしも筒体が収縮または付勢によってボルトまたはナットの側面を挟持しなくとも、フランジが係止することにより、これらを保持することができる。なお、収縮または挟持とフランジによる係止とをあわせることにより、より確実に保持することが可能となる。フランジは、筒体の内周面の全周に設けてもよいが、一部または断続的に数カ所に設けることでもよい。一部にでも係止すれば落下を防止できるからである。
また吊着部が保持部に対して回転可能に接続されていることにより、作業員が保持部を回転させてボルトとナットとを螺合させる際に、吊着部がその回転の支障となることを防止することができる。
【００１１】
保持部は弾性を有し、伸張してボルトの頭またはナットを内包し、収縮してこれらを保持するよう構成してもよい。換言すれば、ボルトの頭またはナットを保持部に圧入することによって保持させることにより、吊下しても脱落することなく保持することができる。
【００１２】
保持部は、筒体の開口端から筒体の軸心方向に延びる切込を有していてもよい。これにより、保持部の開口端近傍がたわみやすくなり、ボルトの頭またはナットを保持部に圧入しやすくなる。また保持するものがボルトであれば雄ネジ部が保持部から大きく突出するが、ナットである場合には保持部の内部に埋もれた状態で収容されてしまうため、取り出しにくいおそれがある。かかる場合にも、切込を有していれば筒体を大きく開くことができ、ナットを側面から露出させることができるため、容易に取り出すことが可能となる。
【００１３】
また保持部は筒体をその軸方向に沿って分割し、筒体を弾性部材によって閉じる方向に付勢して構成してもよい。保持部の筒体が弾性を有していない場合であっても、筒体が開閉し、弾性部材の付勢力によって挟持することにより、吊下しても脱落することなく保持することができる。
【００１４】
保持部は、筒体の開口端側に配置された大径部と、奥側に配置された小径部とを有していてもよい。これにより、異なる複数のサイズのボルトまたはナットを保持することが可能となる。なお大径部と小径部とは２段に限らず、奥側に行くほど小径となる多段としてもよい。
【００１６】
またフランジは、特に開口端近傍に設けるとよい。これにより筒体の長さを可能な限り短くすることができる。筒体が大径部と小径部とを有している場合には、それぞれの径の開口側端部に設けるとよい。これにより各サイズのボルトまたはナットをそれぞれ確実に保持することが可能となる。
【００１７】
筒体の内周面にボルトの頭またはナットの側面の多角形の稜線と嵌合するラック部を設けてもよい。これにより、作業員が保持部を把持して回転させたとき、保持部とボルトまたはナットとが滑ることなく、容易に螺合させることが可能となる。
【発明の効果】
【００１９】
本発明にかかる落下防止具によれば、ボルトやナットを保持し、かつ保持した状態で螺合させることを可能としたことにより、これらの落下を確実に防止することができる。
【発明を実施するための最良の形態】
【００２０】
本発明にかかる落下防止具の実施例について説明する。なお、以下の実施例に示す寸法、材料、その他具体的な数値などは、発明の理解を容易とするための例示に過ぎず、特に断る場合を除き、本発明を限定するものではない。
【００２１】
図１は落下防止具の全体構成を説明する図である。図に示す落下防止具１０は、ボルト２０の頭２１またはナット３０を保持する保持部１００と、保持部１００を吊下しうる吊着部２００とから構成されている。また本実施形態においては２つの落下防止具１０をコイルストラップ４０にまとめて接続している。
【００２２】
図２は保持部１００を説明する図であって、図２（ａ）は保持部の部分断面図、図２（ｂ）はボルト頭２１を保持した状態を示す図、図２（ｃ）はナットを収納した状態を示す図である。
【００２３】
図２（ａ）に示すように、保持部１００は一端が開口した筒体１０２を有し、開口端１０４と反対側の壁面１０６に吊着部２００を回転可能に接続するための回転継手１０８を有している。筒体１０２の内周面には、内側に向かって立設したフランジ１１０を有している。また筒体１０２には、開口端１０４から筒体１０２の軸心方向に延びる切込１１２を有している。なお筒体１０２の形状としては図示のようなキャップ型のほか、釣鐘型であってもよい。
【００２４】
筒体１０２は弾性を有する材質によって形成されている。そして図２（ｂ）、図２（ｃ）に示すように、筒体１０２の内径は対象とするボルト頭２１やナット３０の最大径よりも小さく形成されている。最大径とは、ボルト頭２１やナット３０が多角形（六角形、四角形、八角形など）をしている場合にはその稜線に接する円の直径をいう。
【００２５】
すなわち、ボルト頭２１やナット３０を保持させる際には、筒体１０２の弾性を利用してこれを伸張させて圧入する。すると筒体１０２がその弾性により収縮し、内包したボルト頭２１の側面２１ａまたはナット３０の側面３０ａを挟持して保持することができる。このように筒体１０２によってボルト頭２１またはナット３０を保持する構成であるため、これらのネジ部（雄ネジ部２２または雌ネジ部３１）が筒体１０２の開口端１０４に露出した状態（露出した姿勢）で保持することができる。
【００２６】
フランジ１１０の高さや幅に制限はないが、フランジ１１０の内径がボルト頭２１やナット３０の最大径よりも小さければよい。このようなフランジ１１０を設けることにより、必ずしも筒体１０２が収縮によってボルト頭２１またはナット３０の側面を挟持しなくとも、フランジ１１０が係止することにより脱落を防止し、これらを保持することができる。
【００２７】
なお本実施形態では、筒体１０２の収縮による挟持とフランジ１１０による係止とをあわせることにより、より確実に保持することを可能としている。なおフランジ１１０は、筒体１０２の内周面の全周に設けてもよいが、一部または断続的に数カ所に設けることでもよい。一部にでも係止すれば落下を防止できるからである。
【００２８】
また図２に示すように、フランジ１１０は筒体１０２の開口端１０４近傍に配置している。これにより、ボルト頭２１やナット３０を内包させるための長さを有効に確保することができ、筒体の長さを可能な限り短くすることができる。
【００２９】
図３は筒体に形成した切込を説明する図である。図３（ａ）に示すように、筒体１０２の開口端１０４は切込１１２によってたわみやすくなり、ボルト頭２１またはナット３０を保持部１００に圧入しやすくなる。
【００３０】
また保持するものがボルト２０であれば雄ネジ部２２が筒体１０２から大きく突出するが、ナット３０である場合には保持部１００の内部に埋もれた状態で収容されてしまうため、取り出しにくいおそれがある。かかる場合にも、切込１１２を有していれば図３（ｂ）に示すように筒体１０２を大きく開くことができ、ナット３０を側面３０ａから露出させることができるため、容易に取り出すことが可能となる。
【００３１】
吊着部２００は、図１に示すように保持部１００を作業員の体や周囲の構造物に連結するための索体であって、本実施形態では両端にループを形成したワイヤーによって構成している。吊着部２００の一端は保持部１００に取り付けた回転継手１０８に接続し、他端はコイルストラップ４０のリング４１に取り付けている。索体としてはワイヤーのほか、紐やベルト、鎖などを用いることができる。
【００３２】
コイルストラップ４０は、吊着部２００を取り付けるリング４１をコイルワイヤー４２の一端に取り付け、他端にナスカン４３を取り付けている。本実施形態においてリング４１には２つの落下防止具１０を接続し、一対の落下防止具１０にそれぞれボルト２０とナット３０とを保持して、着脱作業を行う構成となっている。
【００３３】
コイルワイヤー４２を伸縮可能な構成とすることにより、作業員の可動範囲を拡大し、ボルト２０とナットの着脱作業を容易にすることができる。コイルワイヤーの他には、繰り出し可能な巻き取り式のワイヤーなども好適に利用することができる。ナスカン４３はこれに限定するものではなく、作業員の体（安全ベルト等）や周囲の構造物に取り付け可能であればよい。したがって例えばカラビナやフックなどのような掛止部としたり、ループを形成して作業員の手首などに取り付けたり、磁石を取り付けて鉄塔に貼着させることでもよい。
【００３４】
なお本実施形態においては、落下防止具１０の吊着部２００をコイルストラップ４０に接続し、コイルストラップ４０を作業員等に取り付ける構成であることから、落下防止具１０は間接的に作業員に取り付けているということができる。しかし吊着部２００の先端（保持部１００と反対側）を直接作業員等に取り付ける係止部などを設けてもいいことはいうまでもなく、直接的であるか間接的であるかに技術的な差異はない。
【００３５】
上記構成の落下防止具１０を用いた高所作業の手順について説明する。まずボルト２０を取り付ける場合には、作業員はコイルストラップ４０のナスカン４３を自分の体のベルトなどに取り付け、一方の落下防止具１０にボルト頭２１を保持させ、他方の落下防止具１０にナット３０を保持させる。これにより、万が一作業員が保持部（ボルト２０やナット３０）を取り落としたとしても、ボルト２０またはナット３０は吊着部２００によって吊下されるため、その落下を防ぐことができる。
【００３６】
そしてボルト２０を取り付けるべき場所に挿入し、その先端にナット３０を螺合させる。このとき保持部１００がボルト２０またはナット３０をネジ部（雄ネジ部２２、雌ネジ部３１）が露出した状態で保持していることにより、保持したままの状態でこれらを螺合させることができる。なお螺合は保持部１００ごと回転させるが、回転継手１０８の作用によって円滑に回転させることができる。ボルト２０とナット３０とは、３山ほども螺合させれば、もはや脱落することはない。そして両方の保持部１００を取り外し、レンチを用いてボルト２０とナット３０とを締め付けることにより、取り付ける作業を完了する。
【００３７】
次にボルトを取り外す場合には、作業員はまずレンチを用いてボルト２０とナット３０とを緩め、雄ネジ部２２先端がナット３０に入り込む程度の位置まで回転させる。そしてボルト頭２１とナット３０とに２つの落下防止具１０の保持部１００を取り付け、保持部１００ごと回転させて分離させる。そして工具袋の中において保持部１００からボルト２０またはナット３０を取り出して、取り外す作業を完了する。
【００３８】
上記説明した如く、ボルト２０とナット３０とは常に何らかの形で保持されており、手を離しても落下する場合がない。これらのことから、落下を確実に防止することができる。
［他の実施形態］
【００３９】
上記実施形態においては、筒体１０２は単一のサイズのボルトまたはナットを保持する構成として説明した。しかし、複数のサイズのボルト等を保持できるようにすれば、さらに利便性を増すことができる。
【００４０】
図４は複数の内径を有する保持部の例を示す図である。図４に示す保持部１００は、筒体１２０の開口端１２６側に配置された大径部１２２と、奥側に配置された小径部１２４とを有している。これにより、異なる複数のサイズのボルト頭２１またはナット３０を保持することが可能となる。なお大径部１２２と小径部１２４とは２段に限らず、奥側に行くほど小径となる３段以上の多段としてもよい。ただし段数を多くするほど筒体１２０の奥行きが深くなり、ボルト２０の雄ネジ部２２の長さが足りずに保持できなくなってしまうおそれがあるため、２段程度とすることが好適である。
【００４１】
また図４に示すように筒体１２０が大径部１２２と小径部１２４とを有している場合には、それぞれの径の開口端１２６、１２８にフランジ１３０、１３２を設けることができる。これにより上記実施形態と同様に、各サイズのボルト頭２１またはナット３０をさらに確実に保持することが可能となる。
【００４２】
図５は筒体の内周面に回転止めの滑り止めのラック部を設けた例を示す図である。上記した如く、保持部１００がネジ頭２１またはナット３０を保持したままの状態で回転させることにより、これらを螺合させる。筒体１０２はネジ頭２１などを挟持していることから滑りにくくはなっているが、さらに確実に回転力を伝えることが好ましい。
【００４３】
そこで図５に示す筒体１０２は、内周面にボルト頭２１またはナット３０の側面の多角形の稜線と嵌合するラック部１３４を設けている。ラック部１３４は、例えば六角ボルトを対象とする場合であっても六角にする必要はなく、ある程度の細かなピッチで形成すれば足りる。これにより、作業員が保持部１００を把持して回転させたとき、保持部１００とボルト頭２１またはナット３０とが滑ることなく、容易に螺合させることが可能となる。
【００４４】
図６は硬質材料からなる筒体１４０の例を示す図である。上記実施形態においては、筒体１０２は弾性を有するものであると説明した。しかし保持部は、ボルト２０またはナット３０をネジ部（雄ネジ部２２、雌ネジ部３１）が露出した状態で保持できればよい。
【００４５】
そこで図６に示す筒体１４０は軸方向に沿って分割されており、開口端１４２と反対側にヒンジ部１４４を有して開閉可能に構成されている。そしてヒンジ部１４４にはトーションバネ１４６が設けられており、筒体１４０を閉じる方向に付勢している。このように構成することにより、筒体１４０が開いてネジ頭２１またはナット３０を挿入することができ、またトーションバネ１４６の付勢力によって挟持して保持することができる。
【００４６】
図７は保持部に連結された索体を作業員の体に連結するための他の構成を示す図である。上記実施形態においては、索体である吊着部２００はコイルストラップ４０のリング４１に取り付け、コイルストラップのナスカン４３を作業員の体（例えば安全ベルト）に連結すると説明した。
【００４７】
これに対し図７においては、吊着部２００は作業員の手首に取り付けるためのリストバンド３００に接続されている。リストバンド３００は面ファスナ３０２を備え、作業員の手首を巻回させた状態で固定可能に構成されている。このように構成したことにより吊着部２００を短くすることができ、作業員の取り回しが向上する。また、万が一作業員が保持部１００を取り落としたとしても保持部１００は手に近いところに吊下されるため、作業の続行を容易にすることができる。
【００４８】
以上、添付図面を参照しながら本発明の好適な実施例について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【００４９】
例えば、上記説明および図面においては六角ボルトおよび六角ナットを説明に用いているが、四角ボルトや八角ボルト、六角穴ボルトなども対象とすることができる。
【産業上の利用可能性】
【００５０】
本発明は、主として高所作業におけるボルトまたはナットの落下防止具として利用することができる。
【図面の簡単な説明】
【００５１】
【図１】落下防止具の全体構成を説明する図である。
【図２】保持部を説明する図である。
【図３】は筒体に形成した切込を説明する図である。
【図４】複数の内径を有する保持部の例を示す図である。
【図５】筒体の内周面に回転止めの滑り止めのラック部を設けた例を示す図である。
【図６】硬質材料からなる筒体の例を示す図である。
【図７】保持部に連結された索体を作業員の体に連結するための他の構成を示す図である。
【符号の説明】
【００５２】
１０…落下防止具、２０…ボルト、２１…頭、２１ａ…側面、２２…雄ネジ部、３０…ナット、３０ａ…側面、３１…雌ネジ部、４０…コイルストラップ、４１…リング、４２…コイルワイヤー、４３…ナスカン、１００…保持部、１０２…筒体、１０４…開口端、１０６…壁面、１０８…回転継手、１１０…フランジ、１１２…切込、１２０…筒体、１２２…大径部、１２４…小径部、１２６…開口端、１２８…開口端、１３０…フランジ、１３２…フランジ、１３４…ラック部、１４０…筒体、１４２…開口端、１４４…ヒンジ部、１４６…トーションバネ、２００…吊着部、３００…リストバンド
【図１】
0004757243.tif 000002
【図２】
0004757243.tif 000003
【図３】
0004757243.tif 000004
【図４】
0004757243.tif 000005
【図５】
0004757243.tif 000006
【図６】
0004757243.tif 000007
【図７】
0004757243.tif 000008